(57)【要約】【課題】  既存の大洗浄流量では洗浄不良が発生していた設置現場に対しても、洗浄不良を起こさせることなく快適に洗浄する。【解決手段】  リモコン３０の特大洗浄スイッチ３４を押下すると、特大洗浄信号が送信され上記大洗浄時の動作と同様にスピンドル装置５０内部のモータ５１が回転する。但し、この場合の通電時間は２．５秒と大洗浄よりも通電時間が長く設定されている為、モータ５１の回転によって引上げられ、全開となった排水弁４２は開状態が大洗浄時よりも長く保持されて、ロータンク４０に貯留されていた洗浄水が便器内へと略全量排水される。【選択図】  図２
2007146567.tif 000002
【特許請求の範囲】
【請求項１】
排水弁を内蔵したロータンクに取り付け可能とされ、出力軸の回転により前記排水弁の開動作を実行可能な便器洗浄装置と、
洗浄モードに関する制御情報が格納され、前記洗浄モードに基づいた制御信号を前記便器洗浄装置に供給する制御部と、を備えた便器洗浄システムにおいて、
前記洗浄モードは、前記排水弁の開時間を異ならせた複数の大便用洗浄を備えてなり、前記制御部は、前記複数の大便用洗浄のうちのいずれかを選択して実行可能としたことを特徴とする便器洗浄システム。
【請求項２】
排水弁を内蔵したロータンクに取り付け可能とされ、出力軸の回転により前記排水弁の開動作を実行可能な便器洗浄装置と、
複数の洗浄モードに関する制御情報が格納され、前記複数の洗浄モードのいずれかを設定可能とし、前記設定された洗浄モードに基づいた制御信号を前記便器洗浄装置に供給する制御部と、を備えた便器洗浄システムにおいて、
前記複数の洗浄モードのうち少なくとも一つの洗浄モードは、前記排水弁の開時間を異ならせた複数の大便用洗浄を備えることを特徴とする便器洗浄システム。
【請求項３】
前記複数の大便用洗浄は、前記制御部に設けた操作部を特定操作することにより選択可能としたことを特徴とする請求項１又は２記載の便器洗浄システム。
【発明の詳細な説明】
【技術分野】
【０００１】
本発明は、手動操作もしくはスイッチ操作によりロータンクから水洗便器に洗浄水を供給可能とした便器洗浄システムに関する。
【背景技術】
【０００２】
従来の便器洗浄装置として、特開平１１−３６４０５号（特許文献１）では、ロータンクの排水弁の引上げ量を異ならせることにより大洗浄および小洗浄を行なっている。ここで大洗浄は、ロータンクの排水弁に接続されたケーブルをモータの回転により短時間ホールドし、排水弁が完全に浮上するだけの量を引き上げることで行なっており、小洗浄は、大洗浄よりも引上げ量を少なくし、且ホールド時間を長くすることで行なっている。
【特許文献１】特開平１１−３６４０５号公報
【発明の開示】
【発明が解決しようとする課題】
【０００３】
しかし上記の便器洗浄装置では、大洗浄のとき常に一定量の洗浄水を排水させるので、例えば便器からの排水配管経路が長かったり、勾配があるような現場では、洗浄不良を発生させ、大便を十分に流しきれないという問題があった。
【０００４】
本発明は、上記問題を解決するために成されたもので、大便器の設置現場の環境によらず確実に便器洗浄が実行できるようにすることを目的としている。
【課題を解決するための手段】
【０００５】
上記課題を解決するために、第一の発明は、排水弁を内蔵したロータンクに取り付け可能とされ、出力軸の回転により前記排水弁の開動作を実行可能な便器洗浄装置と、洗浄モードに関する制御情報が格納され、前記洗浄モードに基づいた制御信号を前記便器洗浄装置に供給する制御部と、を備えた便器洗浄システムにおいて、前記洗浄モードは、前記排水弁の開時間を異ならせた複数の大便用洗浄を備えてなり、前記制御部は、前記複数の大便用洗浄のうちのいずれかを選択して実行可能としたことを特徴とする。なお、本出願では、既存の大洗浄よりも排水弁の開弁をホールド時間を設けた実行する大洗浄を、特大洗浄と称する。
【０００６】
また、上記課題を解決するために、第二の発明は、排水弁を内蔵したロータンクに取り付け可能とされ、出力軸の回転により前記排水弁の開動作を実行可能な便器洗浄装置と、複数の洗浄モードに関する制御情報が格納され、前記複数の洗浄モードのいずれかを設定可能とし、前記設定された洗浄モードに基づいた制御信号を前記便器洗浄装置に供給する制御部と、を備えた便器洗浄システムにおいて、前記複数の洗浄モードのうち少なくとも一つの洗浄モードは、前記排水弁の開時間を異ならせた複数の大便用洗浄を備えることを特徴とする。
【０００７】
これらの発明により、既存の大洗浄よりも洗浄水を多く供給することが可能となり、既存の大洗浄では洗浄不良が生じていた設置現場においても、洗浄不良を解消することが出来る。
【０００８】
また、前記複数の大便用洗浄は、前記制御部に設けた操作部を特定操作することにより選択可能としたので、洗浄不良を生じた設置現場においてのみ対応することが可能で、新たに専用の洗浄操作部や表示部を設ける必要が無く、また適切な量の洗浄水を供給可能とすることが出来る。
【０００９】
更に、操作部を特定操作することにより前記回転時間を変更可能とすれば、設置現場ごとに排水量の微調整が可能となり、節水に貢献することが出来る。また新たに専用の洗浄操作部や表示部を設ける必要が無いためコストの低減とリモコンの小型化が可能となる。
【発明の効果】
【００１０】
本発明によれば、既存の大洗浄の他に、既存の大洗浄よりも開弁時間が長い大洗浄を設けたので、既存の大洗浄流量では洗浄不良が発生していた設置現場に対しても、洗浄不良を起こさせることなく快適に洗浄することが出来る。
【発明を実施するための最良の形態】
【００１１】
本発明の実施例について図を基に説明する。図１は便器にロータンクと温水洗浄便座が取付けられた状態の外観図である。便器１０の上に、温水洗浄便座２０及びロータンク４０が載置されている。温水洗浄便座２０は、その本体２３が有するヒンジ部（図示なし）に便ふた２１及び便座２２が回動自体に取り付けられ、本体２３の上面には、リモコンより送信された信号を受信する受信部２４及び動作状態を表わす表示部２６が設けられている。また、温水洗浄便座２０の本体２３は、各種機能部に制御信号を出力する駆動部２５を内蔵している。壁には、温水洗浄便座２０を操作するリモコン３０が取り付けられている。本実施例においては、駆動部２５とリモコン３０とで、制御部６０を構成（図２参照）しており、リモコン３０の操作により、制御信号がリモコン３０から受信部２４を介して駆動部２５に伝達され、駆動部２５が各種機能部を制御する。
【００１２】
図３は温水洗浄便座操作用リモコンの詳細図である。温水洗浄便座２０はリモコン３０の洗浄用操作スイッチ３１を操作することにより洗浄用ノズル（図示しない）が伸出し、お尻洗浄若しくはビデ洗浄等を行なうことが出来る。また、リモコン３０の便座・便ふた開閉用の操作スイッチ３２を押下することにより便ふた２１、便座２２の開閉動作が可能である。
【００１３】
図４はロータンク４０内部の構造図である。ロータンク４０は、排水弁４１、排水弁４１を引上げるための玉鎖４２、玉鎖４２を介して電動で排水弁４１を引上げるスピンドル装置５０を備えている。スピンドル装置５０は、モータ５１、モータ５１の回転を伝達するスピンドル軸５２、スピンドル軸５２に連係して便器洗浄を手動で操作する為のハンドル５３、玉鎖４２を係止する係止部５４、スピンドル装置５０を温水洗浄便座２０に電気的に接続する為のコード５５を備えている。
【００１４】
前述した制御部６０は、便器１０の洗浄形態に合わせてロータンク４０から適切な給水量を供給するようにスピンドル装置５０の動作を制御してなる、複数の洗浄モードを選択可能に備えている。複数の洗浄モードは、例えば、図５に示すように、モータ５１を順方向（ＣＷ）に１．０秒回転させる大洗浄、モータ５１を順方向（ＣＷ）に２．５秒回転させる特大洗浄、モータ５１を逆方向（ＣＣＷ）に１．０秒回転させる小洗浄、の３つの洗浄の組合わせからなる洗浄モード１と、モータ５１を順方向（ＣＷ）に１．０秒回転させる大洗浄、モータ５１を順方向（ＣＷ）に２．５秒回転させる特大洗浄、モータ５１を順方向（ＣＷ）に１．０秒回転させる小洗浄、の３つの洗浄の組合わせからなる洗浄モード２、……、モータ５１を逆方向（ＣＣＷ）に１．０秒回転させる大洗浄、モータ５１を逆方向（ＣＣＷ）に２．５秒回転させる特大洗浄、モータ５１を順方向（ＣＷ）に４．０秒回転させてホールド時間を稼いだ小洗浄、の３つの洗浄の組合わせからなる洗浄モード６、とから成っている。これらの複数の洗浄モードから、便器の洗浄形態に合った洗浄モードをリモコン３０の操作スイッチを特定操作することで選択するのである。
【００１５】
ここから、洗浄モード１を選択した場合の洗浄動作について説明する。リモコン３０の大洗浄スイッチ３３を押下することにより、大洗浄の信号がリモコン３０から送信される。この大洗浄信号が便器洗浄装置本体２３後部に設けてある受信部２４により受信される。そして受信部２４により受信された大洗浄信号は、駆動部２５にてスピンドル装置のモータを回転させる為の電気信号となって、便器洗浄装置本体２３後部に設けてある接続部（図示しない）に接続したコード５５よりスピンドル装置５０に送られ、モータ５１を順方向に回転させる。この際、モータ５１への通電時間は１秒間である。そして、このモータ５１が回転することにより、減速ギアを介してモータ５１に接続されたスピンドル軸５２が回転し、スピンドル軸５２に装着された係止部５４が回転する。最終的に係止部５４の回転によって玉鎖４２を介して繋がれた排水弁４１が全開し、タンク４０に貯留された洗浄水が便器内に供給される。なお、このとき、排水弁４１の開弁時間が短いので、タンク４０に貯留されていた洗浄水が全て排出されることはない。
【００１６】
またリモコン３０の特大洗浄スイッチ３４を押下すると、特大洗浄信号が送信され上記大洗浄時の動作と同様にスピンドル装置５０内部のモータ５１が順方向に回転する。但し、この場合の通電時間は２．５秒と大洗浄よりも通電時間が長く設定されている為、モータ５１の回転によって引上げられ、全開となった排水弁４２は開状態が大洗浄時よりも長く保持されて、ロータンク４０に貯留されていた洗浄水が便器内へと略全量排水される。この特大洗浄では、排水弁４１が本来流すべき洗浄水量を超えた水量を流すものとなる。
【００１７】
リモコン３０の小洗浄スイッチ３５を押下すると、小洗浄信号が送信され上記大洗浄時の動作と同様にスピンドル装置５０内部のモータ５１が逆方向に回転する。ここで、モータ５１に送信される小洗浄信号は、通電時間が１秒、モータ５１の回転量は、排水弁４１が半開となるように設定されているので、大洗浄よりも少量の洗浄水が便器内に排水される。
【００１８】
尚、スピンドル装置５０は、上記の様なリモコン３０による洗浄操作以外に、ハンドル５３を回転させることによって、手動操作が可能である。この場合、特大洗浄を行なうには、大洗浄を行なう方向へハンドル５３を回転させ、その回転を任意の時間、保持させれば良い。
【００１９】
次に、別の実施例について説明する。本発明は、大洗浄スイッチ３３、特大洗浄スイッチ３４の両方をリモコンに設けた図３の例に限定されず、図６に示すように一つの大洗浄スイッチ３３に大洗浄・特大洗浄の両方の機能を設定し、使用することが出来る。この場合、予め温水洗浄便座２０の制御部６０に記憶させておいた各洗浄モードの中の大洗浄と特大洗浄どちらかをリモコン３０の操作スイッチを特定操作することにより、大便用洗浄として選択設定可能な状態となるよう設定しておく。ここで前記選択設定可能な状態を起動させる方法として、例えばオート開閉スイッチ３２と洗浄用操作スイッチ３１を同時に１秒間押すことで可能としても良いし、その他の操作で起動可能とするように設定しても良い。この操作により本体２３の表示部２６が点滅し、選択設定可能になったことを知らせる。
【００２０】
次に大洗浄もしくは特大洗浄のどちらかを大便用洗浄として選択する。この場合の操作は例えば、大洗浄を選択する場合は大洗浄スイッチ３３を短押しし、特大洗浄を選択する場合は、大洗浄スイッチ３３を長押しする。これらの操作により点滅していた本体表示部２６が一定時間点灯し、大洗浄スイッチ３３に大洗浄もしくは特大洗浄が設定されたことを知らせる。
【００２１】
上記の操作によって所望の大便用洗浄が使用可能となり、１つの大洗浄スイッチ３３で、大洗浄もしくは特大洗浄を行なうことが出来るようになる。またこれによりリモコン３０に大洗浄スイッチ３３および、特大洗浄スイッチ３４の両方を設ける必要が無くなり、コストの低減とリモコンの小型化が可能になる。また設置現場によって適切な大便用洗浄を設定することによって、快適な洗浄が可能となるばかりでなく、適切な量の洗浄水を供給することが出来る。
【００２２】
尚、上記説明において、大洗浄用洗浄は大洗浄、特大洗浄の２モードとしたが、これに限定する必要はなく、例えば異なるホールド時間のモードを制御部６０に複数用意しておき、設定可能とすることが出来る。
【００２３】
更に本発明では、大洗浄スイッチ３３、特大洗浄スイッチ３４の両方をリモコンに設けた図６の例の他に、複数の大便用洗浄を使用可能とする別の方法として、大洗浄のホールド時間を任意に変更出来るようにしてもよい。この場合、温水洗浄便座２０の制御部６０に記憶させておいたスピンドル装置５０のモータ５１の回転時間を、リモコン３０の操作スイッチの何れかを操作することにより、選択設定可能な状態となるよう設定しておく。ここで前記選択設定可能な状態を起動させる方法として、上記のように例えばオート開閉スイッチ３２と洗浄用操作スイッチ３１を同時に１秒間押すことで可能としても良いし、その他の操作で起動可能とするように設定しても良い。この操作により本体２３の表示部２６が点滅し、選択設定可能になったことを知らせる。
【００２４】
次に大便用洗浄のホールド時間を決定する。この場合の操作は例えば、大洗浄スイッチ３３を押下するごとに設定時間が０．１秒刻みに増え、小洗浄スイッチ３５を押下するごとに０．１秒刻みに減るようになっている。設定したいホールド時間をリモコン表示部３６に表示させ、洗浄スイッチ３１を押下することで、点滅していた本体表示部２６が一定時間点灯し、ホールド時間が確定となったことを知らせる。
【００２５】
上記の操作によって任意に大洗浄のホールド時間を変更することが出来、１つの大洗浄スイッチ３３で、複数の大便用洗浄が使用可能となる。また設置現場ごとに適切な大洗浄のホールド時間を設定してあげることによって、快適な洗浄が可能となるばかりでなく、適切な量の洗浄水を供給することが出来る。
【００２６】
本発明は、以上説明した実施例が最適な実施形態であるが、発明の主旨を逸脱しない範囲で変形することが可能である。例えば、便器洗浄システムとして洗浄モードを一つしか持たず、その洗浄モードの大便用洗浄として特大洗浄と大洗浄を設定可能な形態とすることができる。
【図面の簡単な説明】
【００２７】
【図１】本発明の便器洗浄システムを具備したトイレの外観を示す図である。
【図２】本発明の便器洗浄システムの制御部の構成を示すブロック図である。
【図３】特大洗浄スイッチを設けたリモコンのスイッチ配置を示す図である。
【図４】ロータンクの内部の構造を示す図である。
【図５】本発明の便器洗浄システムにおける複数の洗浄モードの洗浄動作を示す一覧表である。
【図６】特大洗浄スイッチが無い場合のリモコンのスイッチ配置を示す図である。
【符号の説明】
【００２８】
１０  便器
２０  温水洗浄便座
２１  便蓋
２２  便座
２３  温水洗浄便座本体
２４  受信部
２５  駆動部
２６  本体表示部
３０  リモコン
３１  洗浄用操作スイッチ
３２  座蓋開閉用操作スイッチ
３３  大洗浄スイッチ
３４  特大洗浄スイッチ
３５  小洗浄スイッチ
３６  リモコン表示部
４０  ロータンク
４１  排水弁
４２  玉鎖
５０  スピンドル装置
５１  モータ
５２  スピンドル軸
５３  ハンドル
５４  係止部
５５  コード
６０  制御部
【図１】
2007146567.tif 000003
【図２】
2007146567.tif 000004
【図３】
2007146567.tif 000005
【図４】
2007146567.tif 000006
【図５】
2007146567.tif 000007
【図６】
2007146567.tif 000008